(57)【要約】【課題】箱体の奥行寸法を効率的に小さくすることが可能でありながらも、収納体を安定的に前後方向に移動させ得る収納装置を提供する。【解決手段】前後反転可能なように、収納体１０を上下方向に沿う軸１８，１９回りに回転可能にかつ前後方向に移動可能にガイドする上下の回転機構部２０，２１を前方に開口する箱体２に設けた収納装置１であって、下側の回転機構部は、前記箱体の間口方向中央部に前後方向に延びるように設けられたレール部４５と、前記収納体の収納状態における間口方向中央部に設けられ、前記レール部のガイド溝４６の溝底４７上を転動する複数の転動体３３Ａ，３３Ｂ，３３Ｂと、を備えており、前記複数の転動体は、間口方向に間隔を空けて並列状に設けられた一対の転動体３３Ｂ，３３Ｂと、これら一対の転動体の前後方向一方側に間隔を空けて設けられた転動体３３Ａと、を備えている。【選択図】図１
2018015193.tif 000002
【特許請求の範囲】
【請求項１】
前後反転可能なように、収納体を上下方向に沿う軸回りに回転可能にかつ前後方向に移動可能にガイドする上下の回転機構部を前方に開口する箱体に設けた収納装置であって、
下側の回転機構部は、前記箱体の間口方向中央部に前後方向に延びるように設けられたレール部と、前記収納体の収納状態における間口方向中央部に設けられ、前記レール部のガイド溝の溝底上を転動する複数の転動体と、を備えており、
前記複数の転動体は、間口方向に間隔を空けて並列状に設けられた一対の転動体と、これら一対の転動体の前後方向一方側に間隔を空けて設けられた転動体と、を備えていることを特徴とする収納装置。
【請求項２】
請求項１において、
前記複数の転動体は、前記箱体の間口方向中央部から等距離となるように設けられた前記一対の転動体と、これら一対の転動体の前後方向一方側の前記転動体として前記箱体の間口方向中央部に位置するように設けられた中央転動体と、からなることを特徴とする収納装置。
【請求項３】
請求項１または２において、
前記複数の転動体は、平面視して前記一対の転動体とこれら一対の転動体の前後方向一方側の前記転動体との間に前記収納体の回転中心が位置するように設けられていることを特徴とする収納装置。
【請求項４】
請求項１乃至３のいずれか１項において、
前記複数の転動体は、それぞれの転動体の軌跡が間口方向に異なる位置となるように設けられていることを特徴とする収納装置。
【請求項５】
請求項１乃至４のいずれか１項において、
前記複数の転動体は、間口方向に沿う軸に固定される内輪とこの内輪に対して回転自在に設けられた外輪とを有した軸受部を含んでおり、
これら軸受部の軸方向両側面に近接配置され、漏出する潤滑剤を吸着する吸着体を備えていることを特徴とする収納装置。
【発明の詳細な説明】
【技術分野】
【０００１】
本発明は、収納装置に関する。
【背景技術】
【０００２】
従来より、前方に開口する箱体に、上下方向に沿う軸回りに回転されて前後反転可能とされた収納体を設けた収納装置が知られている。このような収納装置では、収納体の上下方向に沿う軸回りの回転を可能としながらも、収納体と箱体の奥側面との間のスペースを小さくすべく、収納体を前後方向に移動させながら回転可能な構成とされたものがある。
例えば、下記特許文献１には、箱体の底面側の間口方向中央部に前後方向に延びるように設けられたレール部の溝底を転動する支持ローラーを収納体の収納状態における間口方向中央部に設けた収納装置が開示されている。
【先行技術文献】
【特許文献】
【０００３】
【特許文献１】特開２０１６−５４８７２号公報
【発明の概要】
【発明が解決しようとする課題】
【０００４】
しかしながら、上記特許文献１に記載された収納装置では、収納体及びこれに収納される被収納物の荷重が支持ローラーを介してレール部の溝底に掛かるため、支持ローラー及びレール部局所に対して比較的に高負荷が掛かるという問題があった。
【０００５】
本発明は、上記実情に鑑みてなされたものであり、箱体の奥行寸法を効率的に小さくすることが可能でありながらも、収納体を安定的に前後方向に移動させ得る収納装置を提供することを目的としている。
【課題を解決するための手段】
【０００６】
上記目的を達成するために、本発明に係る収納装置は、前後反転可能なように、収納体を上下方向に沿う軸回りに回転可能にかつ前後方向に移動可能にガイドする上下の回転機構部を前方に開口する箱体に設けた収納装置であって、下側の回転機構部は、前記箱体の間口方向中央部に前後方向に延びるように設けられたレール部と、前記収納体の収納状態における間口方向中央部に設けられ、前記レール部のガイド溝の溝底上を転動する複数の転動体と、を備えており、前記複数の転動体は、間口方向に間隔を空けて並列状に設けられた一対の転動体と、これら一対の転動体の前後方向一方側に間隔を空けて設けられた転動体と、を備えていることを特徴とする。
【発明の効果】
【０００７】
本発明に係る収納装置は、上述のような構成としたことで、箱体の奥行寸法を効率的に小さくすることが可能でありながらも、収納体を安定的に前後方向に移動させることができる。
【図面の簡単な説明】
【０００８】
【図１】本発明の一実施形態に係る収納装置の一例を模式的に示す一部省略概略斜視図である。
【図２】同収納装置の一部を省略した一部破断概略縦断面図である。
【図３】同収納装置の一部を省略した一部破断概略横断面図である。
【図４】（ａ）は、図２に対応させた一部破断概略拡大縦断面図、（ｂ）は、図３に対応させた一部破断概略拡大横断面図である。
【図５】（ａ）、（ｂ）は、同収納装置が備える下側回転機構部の一例を模式的に示す一部を省略した一部破断概略斜視図、（ｃ）は、同下側回転機構部の一部破断概略底面図である。
【図６】（ａ）〜（ｄ）は、同収納装置が備える収納体の前後反転動作の一例を模式的に示す一部を省略した一部破断概略横断面図である。
【発明を実施するための形態】
【０００９】
以下に本発明の実施の形態について、図面に基づいて説明する。
なお、一部の図では、他図に付している詳細な符号の一部を省略している。
また、以下の実施形態では、設置された収納装置に開口側において対面した状態を基準として、手前側を前方、その逆側を後方とし、また、その状態を基準として、上下方向等の方向を説明する。また、収納装置の収納体が図１〜図３に示すように箱体に収納された状態を基準として、同方向を原則的に説明する。
【００１０】
図１〜図６は、本実施形態に係る収納装置の一例を模式的に示す図である。
本実施形態に係る収納装置１は、図１〜図３に示すように、前後反転可能なように、収納体１０を上下方向に沿う軸１８，１９回りに回転可能にかつ前後方向（収納奥行方向）に移動可能にガイドする上下の回転機構部２０，２１を備えている。また、この収納装置としての回転収納装置１は、これら上下の回転機構部２０，２１を、前方に開口する箱体２に設けた構成とされている。
この回転収納装置１は、靴等を収納する玄関収納装置として玄関土間や玄関フロアー等に設置されるものでもよい。また、当該回転収納装置１は、後記するように、収納体としての回転収納体１０を下荷重型で保持する構成とされているので、上吊型と比べて高耐荷重となり、例えば、食器や食材、飲料品等を収納するパントリー状の収納庫としてキッチン等に設置されるものでもよい。また、当該回転収納装置１は、種々のディスク状の記録媒体や、書籍等を収納するラック状の収納庫としてリビング等に設置されるものでもよい。また、回転収納装置１は、このような住居内に設置されるものに限られず、種々の建物内に設置されるものでもよい。
【００１１】
箱体２は、前方に開口した正面視略矩形状の箱状とされている。この箱体２は、天面部３と底面部４と背面部５と間口方向（左右）一対の側面部６，６とを備え、これらによって回転収納体１０の収納空間を区画形成している。この収納空間は、前後寸法（収納奥行寸法）よりも収納間口寸法（左右寸法）が大きく形成されている。
なお、これら各面部３，４，５，６，６は、板材からなるものとしてもよく、また、箱体２は、木質系材料や金属系材料、合成樹脂系材料等から形成されたものとしてもよい。
また、箱体２の前方開口を開閉する扉を設けてもよい。また、回転収納体１０の収納空間の上側や下側等に更に他の収納空間を設けた態様としてもよい。この場合は、横仕切板等によって上下の収納空間を区画するようにしてもよい。また、箱体２は、少なくとも前方に開口したものであればよく、前後両側に開口したものでもよい。また、図例では、底面部４を、両側の側面部６，６の下端よりも上側に位置するように上底状に設け、その下面側の間口方向（左右方向）中央部に、前後方向に延びる桟材を設けた例を示している。
【００１２】
回転収納体１０は、上下方向に沿う軸１８，１９回りに１８０°回転自在に箱体２に設けられて前後反転可能とされている。本実施形態では、回転収納体１０を、正面視略矩形枠状の枠体１１と、この枠体１１に保持される収納部１６と、を備えた構成としている。この回転収納体１０は、枠体１１内に収納部１６を配置することで、収納空間を上下に複数段に区画する構成とされている。
枠体１１は、上枠部１２と下枠部１３と左右一対の縦枠部１４，１４とを備えている。
この枠体１１は、図２及び図３に示すように、回転収納体１０が箱体２に収納された状態で、箱体２内の前後方向略中央部に配置される。
なお、この枠体１１は、例えば、金属系材料等の剛性材料から形成されたものとしてもよい。
【００１３】
上枠部１２及び下枠部１３は、それぞれ間口方向に沿って長尺とされている。左右の縦枠部（両側の縦枠部）１４，１４は、それぞれ上下方向に沿って長尺とされている。これら上枠部１２、下枠部１３及び両側の縦枠部１４，１４は、長手方向に見て略矩形状とされており、例えば、筒状材から形成されたものとしてもよい。上枠部１２と下枠部１３とは、互いに略平行に配置され、両側の縦枠部１４，１４は、互いに略平行に並んで配置されている。
また、両側の縦枠部１４，１４の上端部に、上枠部１２の長手方向両端部が固定され、両側の縦枠部１４，１４の下端部に、下枠部１３の長手方向両端部が固定されている。
なお、これら上枠部１２、下枠部１３及び両側の縦枠部１４，１４からなる枠体１１は、一体的に形成されたものでもよく、各枠部１２，１３，１４，１４の端部を適宜、ねじ等の止具や溶接等によって連結して形成されたものでもよい。
【００１４】
また、両側の縦枠部１４，１４の一方には、回転収納体１０を後記するように前後反転させる際に把持される把持部１７が設けられている。図例では、一方の縦枠部１４の上下方向途中部位から前後方向にそれぞれ突出させるように把持部１７，１７を設けた例を示している。
また、これら両側の縦枠部１４，１４間に、架け渡すように収納部１６が設けられる。
この収納部１６は、幅方向（間口方向）両側端部が両側の縦枠部１４，１４に適宜の固定具によって固定されたものでもよく、または、両側の縦枠部１４，１４に対して着脱可能に取り付けられる構成とされたものでもよい。図例では、両側の縦枠部１４，１４の互いに対向する内側面側に、収納部１６の幅方向両側端部をそれぞれに保持する保持具を着脱可能に保持する係合保持部としての差込穴１５を、上下方向に沿って間隔を空けて複数箇所に設けた例を示している。このような構成とすれば、収納部１６の個数や配設する高さ位置を変更することができる。
【００１５】
このような収納部１６の前後寸法が比較的に大きいような場合にも、後記するように回転収納体１０を回転させて１８０°反転させることで、物品出し入れ性を向上させることができる。
なお、図例では、上方側に向けて開口する薄型網籠状の収納部１６及び薄型箱状の収納部１６を上下の複数箇所に設けた例を示しているが、このような態様に限られない。平板状（棚板状）やトレー状、ボトル収納ラック状とされたものや、さらには棒状の引掛け部材等、被収納物の種類等に応じて種々の形状とされた収納部１６の採用が可能である。また、当該回転収納装置１に収納される被収納物としては、靴等の履物や、衣類、傘、帽子等でもよく、その他、書籍や、装飾品、食器、食料品、ボトル、調味料、各種ディスク等の記録媒体等でもよい。
また、図例では、平面視して四隅を切除したような略八角形状とされた収納部１６を例示しているが、このような態様に限られない。例えば、平面視した状態における四隅部にＣ面取り状やＲ面取り状の面取り部を設けた収納部１６としてもよい。
【００１６】
また、図例では、物品載置部となるその上面が水平状となるように水平状態で両側の縦枠部１４，１４に収納部１６を保持させた例を示しているが、このような態様に限られない。例えば、前傾状態または後傾状態で両側の縦枠部１４，１４に収納部１６を保持させるようにしてもよい。この場合、複数枚の収納部１６を、上下交互に異なる側に傾斜するように設けた構成としてもよい。このように収納部１６を傾斜させることで、例えば、被収納物を靴等とした場合には、効率的に収納することができる。また、このように上下交互に前傾状態の収納部（棚板）と後傾状態の収納部（棚板）とを設けた場合にも、後記するように回転収納体１０を回転させて１８０°反転させることで、後傾状態の収納部（棚板）を前傾状態に切り替えることができ、物品出し入れ性を向上させることができる。このような構成とすれば、当該回転収納装置１（回転収納体１０）の収納空間を効率的に利用することができる。
なお、収納部１６を保持する収納本体としては、上記のような枠体１１に限られない。例えば、収納空間を前後に区分するような板状とされたものや、上下方向に沿う軸１８，１９と略同軸状とされた上下に延びる棒状とされたもの、収納状態において前後両側に開口する収納部を一体的に設けたもの等、種々の形状とされた収納本体１１でもよい。
【００１７】
また、回転収納体１０の上下両側には、上下の回転機構部２０，２１が設けられている。
これら上下の回転機構部２０，２１は、箱体２の間口方向中央部に前後方向に延びるように設けられたレール部４０，４５と、各レール部４０，４５にガイドされる中央ガイド体２５，３０と、をそれぞれに備えている。これら上下の中央ガイド体２５，３０は、回転収納体１０が前後反転される際に、箱体２内において前後方向に移動するようにガイドされる構成とされている。また、これら上下の中央ガイド体２５，３０は、収納状態における回転収納体１０の間口方向中央部の上下両端部のそれぞれに設けられている。また、これら上下の中央ガイド体２５，３０は、当該回転収納体１０の軸１８，１９の上下両側に位置するように設けられている。
【００１８】
上側回転機構部２０のレール部としての上側レール部４０は、前後方向に長尺状とされ、箱体２内の前後方向略中央部から前方に向けて延びるように設けられている。この上側レール部４０は、その前端部が箱体２の前端部から後方側に控えた位置となるように設けられている。また、この上側レール部４０は、箱体２内の下方側に向く天面３ａに沿うように固定されている。また、この上側レール部４０には、上側回転機構部２０の中央ガイド体としての上端側中央ガイド体２５を収容するガイド溝４１が前後方向に延びるように設けられている。
ガイド溝４１は、下方側に向けて開口するように設けられ、下方側に向く溝底４２と間口方向両側の内側壁４３，４３とによって区画されている。このガイド溝４１は、前後方向に沿う溝長手方向に見て略矩形状の略矩形溝状とされている。
【００１９】
また、図例では、上側レール部４０の前方側開口を覆う前端カバーを設けた構成としている。
なお、上側レール部４０の両側の内側壁４３，４３の下端部に、互いに向き合う方向に突出するように突出片部を設けた構成としてもよい。
また、この上側レール部４０のガイド溝４１の後端部等に、収納状態とされた回転収納体１０の上端側の更なる後方側への移動を抑止するストッパー部や、上端側中央ガイド体２５が当接される緩衝部材等を設けた構成としてもよい。
【００２０】
上端側中央ガイド体２５は、図２に示すように、当該回転収納体１０の上下方向に沿う軸としての上端側軸１８に連結されている。この上端側軸１８は、回転収納体１０を収納させた状態で、箱体２の収納空間の平面視略中心に位置するように設けられている（図３参照）。また、この上端側軸１８は、上枠部１２の長手方向略中央に位置するように設けられている。また、この上端側軸１８は、上枠部１２に対して固定的に設けられている。
また、上端側中央ガイド体２５には、上側レール部４０のガイド溝４１に収容され、内側壁４３に沿って転動するガイドローラー２６が設けられている。本実施形態では、上端側中央ガイド体２５に、上端側軸１８と同軸状のローラー軸２７回りに回転する単一のガイドローラー２６を設けた構成としている。
このガイドローラー２６は、上下方向に比較的に薄型の円柱状（円盤状）とされている。このガイドローラー２６の外径は、ガイド溝４１の溝幅寸法に応じた寸法とされている。
【００２１】
また、このガイドローラー２６のローラー軸２７と上端側軸１８とは、固定的若しくは一体的に設けられたものでもよい。また、ガイドローラー２６は、例えば、ローラー軸２７に固定された内輪に対して外輪が回転自在とされた軸受部を含んだ構成とされたものでもよい。このようなガイドローラー２６としては、外周面が低摩擦性の構成とされたものが好ましい。例えば、このようなガイドローラー２６としては、金属製の外輪が外周面を構成するものでもよく、または外輪の外周側が樹脂等で被覆されたベアリングローラー等でもよい。この場合は、ガイドローラー２６の外周側を、摺動性の良好なポリアセタール（ＰＯＭ）等の樹脂や、合成樹脂系材料に油を含有させた含油ＰＯＭなどの含油プラスチックから形成されたものとしてもよい。または、ガイドローラー２６をローラー軸２７に固定的に設け、このローラー軸２７を回転自在に保持する軸受部を上端側軸１８との連結部に設けた態様や、上枠部１２に上端側軸１８を回転自在に保持する軸受部を設けた態様等としてもよい。
【００２２】
なお、上側レール部４０にガイドされる上端側中央ガイド体２５としては、上端側軸１８と同軸状のローラー軸２７回りに回転する単一のガイドローラー２６を有した構成とされたものに限られない。上端側中央ガイド体２５としては、例えば、前後方向に間隔を空けて設けられた複数のガイドローラー２６を有したものや、間口方向両側にガイドローラー２６を有したもの等でもよい。また、上端側中央ガイド体２５としては、上下方向に沿うローラー軸２７回りに回転するガイドローラー２６を有した構成に代えて、または加えて、間口方向に沿う軸回りに回転するガイドローラーを有したものでもよい。また、上端側中央ガイド体２５としては、このように回転するガイドローラーを有したものに限られず、ガイド溝４１の内側壁４３に摺るように当接されるピン状やブロック状とされたものでもよい。この場合は、上記のような摺動性の良好な樹脂から形成されたものとしてもよい。
【００２３】
下側回転機構部２１のレール部としての下側レール部４５は、上側レール部４０と概ね同様、前後方向に長尺状とされ、箱体２内の前後方向略中央部から前方に向けて延びるように設けられている。この下側レール部４５は、平面視して上側レール部４０と略一致した位置となるように、箱体２内の上方側に向く底面４ａに沿うように固定されている。また、下側レール部４５には、下側回転機構部２１の中央ガイド体としての下端側中央ガイド体３０を収容するガイド溝４６が前後方向に延びるように設けられている。
ガイド溝４６は、上方側に向けて開口するように設けられ、上方側に向く溝底４７と間口方向両側の内側壁４８，４８とによって区画されている。このガイド溝４６は、上記同様、前後方向に沿う溝長手方向に見て略矩形状の略矩形溝状とされている。
なお、上下のレール部４０，４５の両方または一方を、箱体２の上下の面部３，４（天面部３及び底面部４）に埋込状に設けた態様等としてもよい。また、これら上下のレール部４０，４５は、ステンレス鋼（ＳＵＳ）等の高剛性で低摩擦性の金属系材料から形成されたものでもよい。
【００２４】
下端側中央ガイド体３０は、当該回転収納体１０の上下方向に沿う軸としての下端側軸１９に連結されている。この下端側軸１９は、上記した上端側軸１８と略同軸状とされている。この下端側軸１９は、下枠部１３に対して固定的に設けられ、下端部が軸受部２２に対して回転自在に保持されたものでもよい。
また、下端側中央ガイド体３０には、下側レール部４５のガイド溝４６の溝底４７上を転動する複数の転動体３３Ａ，３３Ｂ，３３Ｂが設けられている。また、下端側中央ガイド体３０に、これら転動体３３Ａ，３３Ｂ，３３Ｂを回転自在に保持する保持部材３１を設けた構成としている。また、この保持部材３１に対して下端側軸１９の軸受部２２を固定的に設けた構成としている。つまり、下端側中央ガイド体３０（保持部材３１）は、軸受部２２を介して下端側軸１９回りに回転自在とされている。なお、上記と概ね同様、保持部材３１に対して下端側軸１９を固定的に設け、下枠部１３に下端側軸１９を回転自在に保持する軸受部等を設けた態様としてもよい。
【００２５】
保持部材３１は、図４及び図５に示すように、軸受部２２が固定された上板部と、この上板部の間口方向両端部から垂れ下がるように設けられた左右両側の側壁部と、を備えた下向き開口形状とされている。本実施形態では、この保持部材３１に、複数の転動体３３Ａ，３３Ｂ，３３Ｂを回転自在に保持させた構成としている。また、これら複数の転動体３３Ａ，３３Ｂ，３３Ｂとして、間口方向に間隔を空けて並列状に設けられた一対の転動体３３Ｂ，３３Ｂと、これら一対の転動体３３Ｂ，３３Ｂの前後方向一方側に間隔を空けて設けられた転動体３３Ａと、を備えた構成としている。
また、複数の転動体３３Ａ，３３Ｂ，３３Ｂを、平面視して一対の転動体３３Ｂ，３３Ｂとこれら一対の転動体３３Ｂ，３３Ｂの前後方向一方側の転動体３３Ａとの間に回転収納体１０の回転中心となる上端側軸１８及び下端側軸１９が位置するように設けている。つまり、図４（ｂ）及び図５（ｃ）に示すように、平面視（底面視）して、回転収納体１０の回転中心（下端側軸１９の軸心）よりも前後方向一方側に位置するように、一対の転動体３３Ｂ，３３Ｂの前後方向一方側の転動体３３Ａが設けられている。また、平面視して、回転収納体１０の回転中心よりも前後方向他方側に位置するように、一対の転動体３３Ｂ，３３Ｂが設けられている。
【００２６】
また、複数の転動体３３Ａ，３３Ｂ，３３Ｂを、それぞれの転動体３３Ａ，３３Ｂ，３３Ｂの軌跡が間口方向に異なる位置となるように設けている。つまり、これら転動体３３Ａ，３３Ｂ，３３Ｂは、これらの走行方向に沿う方向となる前後方向に見て、これら転動体３３Ａ，３３Ｂ，３３Ｂの軌跡となる溝底４７との当接部が互いに重なり合わないように設けられている。つまりは、これら転動体３３Ａ，３３Ｂ，３３Ｂを、それぞれの軌跡が重なり合わないように間口方向に並列状となるように設けた構成としている。
また、これら複数の転動体３３Ａ，３３Ｂ，３３Ｂを、箱体２の間口方向中央部から等距離となるように設けられた一対の転動体３３Ｂ，３３Ｂと、これら一対の転動体３３Ｂ，３３Ｂの前後方向一方側における箱体２の間口方向中央部に位置するように設けられた中央転動体３３Ａと、からなる構成としている。つまり、中央転動体３３Ａは、箱体２の間口方向中央部に位置するように設けられた回転収納体１０の回転中心となる上端側軸１８及び下端側軸１９の前後方向一方側に位置するように設けられている。
【００２７】
また、一対の転動体３３Ｂ，３３Ｂは、これらの間の中間部が回転収納体１０の回転中心となる上端側軸１８及び下端側軸１９の前後方向他方側に位置するように設けられている。本実施形態では、一対の転動体３３Ｂ，３３Ｂを、中央転動体３３Ａよりも後方側に位置するように設けられた後方側転動体３３Ｂ，３３Ｂとしている。これら後方側転動体３３Ｂ，３３Ｂ間の間口方向に沿う寸法は、これらの軌跡の間に中央転動体３３Ａの軌跡が重なり合うことなく形成されるように適宜の寸法としてもよい。また、これら後方側転動体３３Ｂ，３３Ｂ間の間口方向に沿う寸法は、これらに掛けられる回転収納体１０及び被収納物の荷重を均等化する観点や下端側中央ガイド体３０の強度上の観点から、また、ガイド溝４６の溝幅が過大とならないように適宜の寸法としてもよい。
【００２８】
また、これら後方側転動体３３Ｂ，３３Ｂから回転収納体１０の回転中心までの前後方向に沿う寸法及び中央転動体３３Ａから回転収納体１０の回転中心までの前後方向に沿う寸法も、上記同様、適宜の寸法としてもよい。また、これら３つの転動体３３Ａ，３３Ｂ，３３Ｂは、平面視して、それぞれの溝底４７との当接部が回転収納体１０の回転中心となる上端側軸１８及び下端側軸１９から概ね等距離となるような位置に設けられたものでもよい。図例では、後方側転動体３３Ｂ，３３Ｂ間の間口方向に沿う寸法を比較的に小とした例を示している。また、後方側転動体３３Ｂ，３３Ｂから回転収納体１０の回転中心までの前後方向に沿う寸法と中央転動体３３Ａから回転収納体１０の回転中心までの前後方向に沿う寸法とを略同寸法とした例を示している。
【００２９】
また、本実施形態では、これら複数の転動体３３Ａ，３３Ｂ，３３Ｂを、間口方向に軸方向を沿わせたローラー軸３２Ａ，３２Ｂ回りに回転自在とされたローラー状としている（図４（ａ）及び図６（ｂ）も参照）。これら転動体３３Ａ，３３Ｂ，３３Ｂは、互いに同寸同形状（同径状）とされている。
また、これら転動体３３Ａ，３３Ｂ，３３Ｂのローラー軸３２Ａ，３２Ｂは、保持部材３１の両側の側壁部に架け渡されるように保持されている。中央転動体３３Ａのローラー軸３２Ａと後方側転動体３３Ｂ，３３Ｂのローラー軸３２Ｂとは、前後方向に間隔を空けて互いに平行状に設けられている。また、後方側転動体３３Ｂ，３３Ｂは、保持部材３１の両側の側壁部に架け渡されるように保持された単一のローラー軸３２Ｂに設けられている。
【００３０】
また、本実施形態では、これら転動体３３Ａ，３３Ｂ，３３Ｂを、ローラー軸３２Ａ，３２Ｂに固定される内輪３４とこの内輪３４に対して回転自在に設けられた外輪３５とを有した軸受部（ベアリング）を含んだ構成としている（図５（ｃ）参照）。
これら転動体３３Ａ，３３Ｂ，３３Ｂの外周面は、上記同様、金属製の外輪３５によって構成されたものでもよく、外輪３５を被覆するように外周側に設けられた樹脂等によって構成されたものでもよい。これら転動体３３Ａ，３３Ｂ，３３Ｂの外周面及び下側レール部４５の溝底４７を、摩擦係数の小さい低摩擦性の構成としてもよい。このような構成とすれば、回転収納体１０や被収納物の荷重（収納荷重）が大となるような場合にも、比較的に小さい操作力（操作荷重）で回転収納体１０を言わば滑らせるように円滑に移動させることができる。例えば、収納荷重（耐荷重）に対して操作荷重が１／１０〜１／４０程度となるような構成としてもよい。
また、これら転動体３３Ａ，３３Ｂ，３３Ｂの軸受部は、内輪３４と外輪３５との間に、保持器（リテーナ）に保持された複数の玉や円筒ころを介在させた転がり軸受とされている。また、これら転動体３３Ａ，３３Ｂ，３３Ｂの軸受部の内輪３４と外輪３５との間には、グリース等の適宜の潤滑剤が封入され、軸受部の軸方向両側には内側空間を密封するように適宜の密封部材（シール部材）が設けられている。
【００３１】
また、本実施形態では、これら転動体３３Ａ，３３Ｂ，３３Ｂの軸受部の軸方向両側面に近接配置され、漏出する潤滑剤を吸着する吸着体３６，３６を設けた構成としている。
これら吸着体３６，３６は、各ローラー軸３２Ａ，３２Ｂが挿通される開口が設けられたリング状とされている。また、これら吸着体３６，３６は、ローラー軸３２Ａ，３２Ｂ方向に沿う寸法が比較的に小とされた略円盤シート状（マット状）とされている。また、これら吸着体３６，３６としては、毛細管現象を利用した吸水性を有するフェルト（織フェルト）状のものや連続気泡状の多孔質状のもの（スポンジ）等、どのようなものでもよい。また、これら吸着体３６，３６は、転動体３３Ａ，３３Ｂ，３３Ｂの軸受部の回転側となる外輪３５に対して過度な抵抗とならないように、かつ漏出する潤滑剤の吸着が可能なように、軸受部の軸方向両側面に当接または近接配置されたものでもよい。
また、各転動体３３Ａ，３３Ｂ，３３Ｂの軸受部の軸方向両側には、両側の吸着体３６，３６を保持する受部材３７，３７が設けられている。これら受部材３７，３７は、各ローラー軸３２Ａ，３２Ｂが挿通される開口が設けられたリング状とされている。
【００３２】
また、下端側中央ガイド体３０には、下側レール部４５のガイド溝４６の両側の内側壁４８，４８に当接または近接配置されて下端側中央ガイド体３０の間口方向への振れを抑制する下端ガイド部３８，３８が設けられている。本実施形態では、保持部材３１の間口方向両側に、間口方向外方側に向けて突出するように下端ガイド部３８，３８を設けた構成としている。また、これら下端ガイド部３８，３８を、前後方向に長尺状の突片部状とされたものとしている。これら下端ガイド部３８，３８の突出方向先端面となる間口方向両側面がガイド溝４６の両側の内側壁４８，４８に当接または近接配置される。なお、これら下端ガイド部３８，３８は、上記のような摺動性の良好な樹脂から形成されたものとしてもよい。また、下端ガイド部３８，３８としては、ガイド溝４６の内側壁４８に摺るように当接されるものに限られず、上下方向に沿う軸回りに回転自在とされ内側壁４８に沿って転動するローラー状とされたものでもよい。
【００３３】
また、本実施形態では、収納状態とされた回転収納体１０の移動を抑制する移動抑制部４４，４９を設けている。また、移動抑制部４４，４９を、収納状態とされた回転収納体１０の上下の中央ガイド体２５，３０の前方側への移動を抑制するように、上下のレール部４０，４５に設けた構成としている。また、本実施形態では、移動抑制部４４，４９を、回転収納体１０を移動（回転）させるべく人力等の所定以上の負荷（操作荷重）が掛けられれば、回転収納体１０の移動（前後反転）を許容する構成としている。また、移動抑制部４４，４９を、上下のレール部４０，４５のガイド溝４１，４６の両側の内側壁４３，４３，４８，４８に対して溝幅方向に進退する進退部４４ａ，４９ａを有した構成としている（図４（ｂ）参照）。
【００３４】
また、上下のレール部４０，４５のガイド溝４１，４６の両側の内側壁４３，４３，４８，４８のそれぞれに対向状に配された進退部４４ａ，４４ａ，４９ａ，４９ａを有した移動抑制部４４，４４，４９，４９を設けた構成としている。
進退部４４ａ，４４ａ，４９ａ，４９ａは、平面視して、溝幅方向中央側に突となる突湾曲状とされている。これら移動抑制部４４，４４，４９，４９としては、ボール状やピン状とされた進退部４４ａ，４４ａ，４９ａ，４９ａが筒状部の先端に設けられ、この進退部４４ａ，４４ａ，４９ａ，４９ａを進出方向に向けて付勢するばね等の付勢部材を内蔵したボールプランジャやピンプランジャ等でもよい。
【００３５】
また、上側レール部４０の移動抑制部４４，４４の進退部４４ａ，４４ａは、図２に示すように、収納状態とされた回転収納体１０の上端側中央ガイド体２５のガイドローラー２６の前方側への移動を抑制するように設けられている。これら移動抑制部４４，４４の進出された進退部４４ａ，４４ａが上端側中央ガイド体２５の係合部を構成するガイドローラー２６の前方側の外周面に当接されて収納状態とされた回転収納体１０の意図しない移動の抑制が可能とされている。また、回転収納体１０を移動させるべく所定以上の負荷が掛けられれば、進退部４４ａ，４４ａの退入を伴い、ガイドローラー２６が進退部４４ａ，４４ａを乗り越えるようにしてガイドローラー２６に対する進退部４４ａ，４４ａの係合が解除される。
【００３６】
また、図４（ｂ）及び図５に示すように、下端側中央ガイド体３０の間口方向両側には、下側レール部４５の移動抑制部４９，４９の進出された進退部４９ａ，４９ａが係合する係合部としての係合凹部３９，３９が設けられている。これら係合凹部３９，３９は、保持部材３１の両側の側壁部に、間口方向外方側に向けて開口するように設けられている。図例では、上記した両側の下端ガイド部３８，３８の上方側に位置するように係合凹部３９，３９を設けた例を示している。
これら係合凹部３９，３９に挿入されるように係合した進退部４９ａ，４９ａによって収納状態とされた回転収納体１０の意図しない移動の抑制が可能とされている。また、回転収納体１０を移動させるべく所定以上の負荷が掛けられれば、進退部４９ａ，４９ａの退入を伴い、係合凹部３９，３９の後側縁が進退部４９ａ，４９ａを乗り越えるようにして係合凹部３９，３９に対する進退部４９ａ，４９ａの係合が解除される。また、これら係合凹部３９，３９は、移動抑制部４９，４９の進退部４９ａ，４９ａの平面視した形状に対応させて平面視して凹湾曲状または開口側に向かうに従い拡開状とされている。また、これら係合凹部３９，３９の前後方向両側縁のうちの少なくとも後側縁に連なるように、後方側に向かうに従い間口方向中央部側に向けて下るように傾斜する傾斜面部を設けた構成としている。
【００３７】
なお、係合部としてのガイドローラー２６や係合凹部３９，３９としては、上記のようなものに限られず、その他、種々の変形が可能である。
また、移動抑制部４４，４４，４９，４９としては、上記のようなものに限られず、種々の変形が可能である。例えば、溝幅方向に概ね弾性変形可能とされた板ばね状の移動抑制部４４，４４，４９，４９としたり、マグネットキャッチ状のものとしてもよい。さらには、移動抑制部４４，４４，４９，４９としては、このように所定以上の負荷を掛ければ回転収納体１０の移動（回転）が可能とされたものに限られず、移動させる際には、手動解除が必要となるようなロック機構を構成するものとしてもよい。
また、上下のレール部４０，４５の両方に移動抑制部４４，４４，４９，４９を設けた態様に代えて、上下のレール部４０，４５のうちの一方のみに移動抑制部４４，４４，４９，４９を設けた態様としてもよい。
【００３８】
また、本実施形態では、上下の回転機構部２０，２１に、回転収納体１０の回転軌跡を規制するようにガイドする回転軌跡ガイド機構を設けた構成としている。この回転軌跡ガイド機構は、収納状態における回転収納体１０の間口方向一方側部位の上下両側に設けられた側部ガイド体２４，２４と、これら側部ガイド体２４，２４をガイドする上下の湾曲ガイド溝５１，５１と、を備えている。また、これら湾曲ガイド溝５１，５１を、側部ガイド体２４，２４を間口方向中央部に向かうに従い奥側に移動させるようにガイドする構成としている。
上下の側部ガイド体２４，２４は、本実施形態では、互いに同様の構成とされている。これら側部ガイド体２４，２４は、平面視して互いに一致する位置となるように設けられている。これら側部ガイド体２４，２４は、後記するように、回転収納体１０が上下の回転機構部２０，２１にガイドされて回転する際に、回転収納体１０の上下の軸１８，１９を円心とする略円弧上を移動する構成とされている。
【００３９】
また、本実施形態では、これら側部ガイド体２４，２４を、上枠部１２及び下枠部１３の長手方向一方側部位に設けた構成としている。また、本実施形態では、これら側部ガイド体２４，２４を、上下方向に沿う軸としてのローラー軸２３，２３回りにそれぞれ回転自在とされた側部ガイドローラー２４，２４としている。
これら側部ガイドローラー２４，２４のローラー軸２３，２３は、互いに同軸状に設けられ、上枠部１２及び下枠部１３に、それぞれ上下方向外方側に向けて突出するように設けられている。なお、側部ガイドローラー２４，２４を、上枠部１２及び下枠部１３に固定されたローラー軸２３，２３に回転自在に保持させた態様に代えて、上枠部１２及び下枠部１３に、ローラー軸２３，２３を回転自在に保持する軸受部を設けた態様としてもよい。また、このような回転自在とされたものに代えて、ピン状やブロック状とされた側部ガイド体２４，２４としてもよい。
【００４０】
上下の湾曲ガイド溝５１，５１は、上下方向中央側に向けて開口するように設けられ、概ね間口方向に延びるように設けられている。本実施形態では、これら上下の湾曲ガイド溝５１，５１を、箱体２の天面３ａ及び底面４ａのそれぞれに沿うように固定された湾曲レール部５０，５０に設けた構成としている。なお、上下の湾曲ガイド溝５１，５１の両方または一方を、箱体２の上下の面部３，４（天面部３及び底面部４）に直接的にまたは埋込状に設けた態様等としてもよい。また、これら上下の湾曲レール部５０，５０（湾曲ガイド溝５１，５１）は、互いに同寸同形状とされた部材が上下反転されて箱体２の天面３ａ及び底面４ａのそれぞれに、平面視して一致する位置となるように設けられている。以下では、下側の湾曲レール部５０（湾曲ガイド溝５１）を例にとって説明する。
【００４１】
湾曲ガイド溝５１は、図３に示すように、平面視して奥側に凸となるように湾曲状とされた間口方向中央側の湾曲溝部５２と、この湾曲溝部５２の間口方向両側に間口方向に延びるように設けられた直線溝部５３，５３と、を連なるように設けた構造とされている。
この湾曲ガイド溝５１は、溝長手方向に見て略矩形状とされた略矩形溝状とされ、全長に亘って溝幅及び溝深さが略一様な寸法とされている（図４（ａ）参照）。また、この湾曲ガイド溝５１の溝幅寸法は、上記した側部ガイドローラー２４の外径に応じた寸法とされている。つまり、湾曲ガイド溝５１の溝幅寸法を、側部ガイドローラー２４の外周面が一方の溝側壁に当接して転動するように両溝側壁に僅かなクリアランスを隔てて近接対面するような寸法としている。なお、図例では、側部ガイドローラー２４の一部を湾曲ガイド溝５１外に露出させた態様としているが、側部ガイドローラー２４の全体を湾曲ガイド溝５１に収容させた態様としてもよい。
【００４２】
湾曲溝部５２は、直線溝部５３，５３との境界部となる間口方向両側端部が箱体２の収納空間の奥行方向略中央部に位置するように設けられている。また、湾曲溝部５２は、両側の直線溝部５３，５３から離れるに従い、つまり間口方向中央部に向かうに従い収納空間の奥側に位置するように、かつ最奥側部位が収納空間の間口方向中央部に位置するように設けられている。
この湾曲溝部５２は、図６（ａ）〜（ｃ）に示すように、回転収納体１０が回転される際に、最前方位置とされた状態の回転収納体１０の上下の軸１８，１９を円心とする略円弧状とされている。この湾曲溝部５２の中心角や曲率半径は、収納空間の奥行寸法や間口寸法、回転収納体１０の収納部１６の平面視形状等に応じて、回転収納体１０が回転される際に箱体２に接触しないように、適宜、設定するようにすればよい。この湾曲溝部５２の中心角は、例えば、６０°〜１２０°程度としてもよい。また、この湾曲溝部５２の曲率半径は、例えば、収納空間（回転収納体１０）の奥行寸法に対する間口寸法の比が大きくなるに従い大きくするようにしてもよい。
【００４３】
直線溝部５３，５３は、湾曲溝部５２の間口方向両側端部に連なるように設けられている。これら直線溝部５３，５３は、箱体２の収納空間の奥行方向略中央部に位置するように、かつ間口方向に延びるように設けられている。また、これら直線溝部５３，５３と湾曲溝部５２との境界部は、側部ガイドローラー２４が滑らかに移動するように、湾曲状とされている。
これら両側の直線溝部５３，５３に、回転収納体１０を収納させた状態並びに回転収納体１０を回転させる際の初期及び終期の状態で、側部ガイドローラー２４が位置する（図３及び図６（ｄ）参照）。
上記構成とされた回転収納装置１は、図３及び図６に示すように、以下のように回転収納体１０が回転されて前後反転される。
【００４４】
回転収納体１０を収納させた状態から回転収納体１０を回転させる際の初期の状態では、側部ガイドローラー２４が湾曲ガイド溝５１の一方の直線溝部５３に沿って間口方向中央側に移動しながら上下の中央ガイド体２５，３０が前方に移動する。そして、側部ガイドローラー２４が湾曲ガイド溝５１の湾曲溝部５２に至れば、上端側軸１８及び下端側軸１９を略回動支点として回転収納体１０が回転するように、側部ガイドローラー２４が湾曲溝部５２に沿って円弧を描くように移動する。そして、回転収納体１０を回転させる際の終期の状態、つまり、側部ガイドローラー２４が他方の直線溝部５３に至れば、側部ガイドローラー２４がこの他方の直線溝部５３に沿って間口方向外方側に移動しながら上下の中央ガイド体２５，３０が後方に移動する。これにより、回転収納体１０が上下の軸１８，１９回りに１８０°回転されて、その前後が反転された状態となる。このように、当該回転収納装置１は、回転収納体１０の上下の軸１８，１９を前後方向に移動させながら回転収納体１０を軸１８，１９回りに回転させることで、回転収納体１０の前後を入れ替え（切り替え）可能としている。
【００４５】
本実施形態に係る収納装置（回転収納装置）１は、上述のような構成としたことで、箱体２の奥行寸法を効率的に小さくすることが可能でありながらも、収納体（回転収納体）１０を安定的に前後方向に移動させることができる。
つまり、前後反転可能なように、回転収納体１０を上下方向に沿う軸１８，１９回りに回転可能にかつ前後方向に移動可能にガイドする上下の回転機構部２０，２１を前方に開口する箱体２に設けた構成としている。従って、回転収納体１０に効率的に被収納物を収納させたり、回転収納体１０を回転させることで、被収納物を取り出し易くしたりすることができる。また、回転収納体１０を、箱体２に対して前後方向に移動させながら上下方向に沿う軸１８，１９回りに回転させることができる。これにより、回転収納体１０を回転させる際に、回転収納体１０が箱体２に収納された状態よりも後方側に突出するようなことを防止することができる。つまり、箱体２に収納された状態の回転収納体１０の奥側に必要となる回転収納体１０の回転用の空間を小さくすることができ、回転収納体１０の収納部１６の奥行寸法を確保しながらも箱体２の奥行寸法を効率的に小さくすることができる。
【００４６】
また、下側回転機構部２１の下側レール部４５のガイド溝４６の溝底４７上を転動する複数の転動体３３Ａ，３３Ｂ，３３Ｂを備えた構成としている。また、これら転動体３３Ａ，３３Ｂ，３３Ｂとして、間口方向に並列状の一対の転動体（後方側転動体）３３Ｂ，３３Ｂと、これら一対の転動体３３Ｂ，３３Ｂの前後方向一方側に間隔を空けて設けられた転動体（中央転動体）３３Ａと、を備えた構成としている。従って、回転収納体１０及びこれに収納される被収納物の荷重を、少なくとも３つの転動体３３Ａ，３３Ｂ，３３Ｂによって分散して受けることができる。また、例えば、間口方向に並列状や前後方向に直列状に、つまり一列状に３つの転動体を設けたものと比べて、少なくとも３点支持状に荷重を受けることができ、回転収納体１０を安定的に前後方向に移動させることができる。
【００４７】
また、本実施形態では、複数の転動体３３Ａ，３３Ｂ，３３Ｂを、平面視して一対の転動体３３Ｂ，３３Ｂとこれら一対の転動体３３Ｂ，３３Ｂの前後方向一方側の転動体３３Ａとの間に回転収納体１０の回転中心１８，１９が位置するように設けた構成としている。従って、一対の転動体３３Ｂ，３３Ｂと前後方向一方側の転動体３３Ａとによって回転収納体１０の荷重をより効果的に分散して受けることができ、回転収納体１０をより安定的に前後方向に移動させることができる。
また、本実施形態では、複数の転動体３３Ａ，３３Ｂ，３３Ｂを、それぞれの転動体３３Ａ，３３Ｂ，３３Ｂの軌跡が間口方向に異なる位置となるように設けた構成としている。従って、複数の転動体３３Ａ，３３Ｂ，３３Ｂが同じ軌跡を転動するようなことがなく、下側レール部４５の溝底４７の凹みや摩耗等を抑制することができ、回転収納体１０をより安定的に前後方向に移動させることができる。
【００４８】
また、本実施形態では、複数の転動体３３Ａ，３３Ｂ，３３Ｂを、箱体２の間口方向中央部から等距離となるように設けられた一対の転動体３３Ｂ，３３Ｂと、箱体２の間口方向中央部に位置するように設けられた中央転動体３３Ａと、からなる構成としている。従って、これら一対の転動体３３Ｂ，３３Ｂ及び中央転動体３３Ａによって回転収納体１０の荷重を分散して受けることができる。また、３つの転動体３３Ａ，３３Ｂ，３３Ｂからなるものとしているので、４つ以上の転動体を設けたものと比べて、一部の転動体３３Ａ，３３Ｂ，３３Ｂに浮き等が生じ難く、各転動体３３Ａ，３３Ｂ，３３Ｂが安定的に溝底４７上を転動する。
【００４９】
また、本実施形態では、複数の転動体３３Ａ，３３Ｂ，３３Ｂを、間口方向に沿うローラー軸３２Ａ，３２Ｂに固定される内輪３４とこの内輪３４に対して回転自在に設けられた外輪３５とを有した軸受部を含んだ構成としている。従って、各転動体３３Ａ，３３Ｂ，３３Ｂをローラー軸３２Ａ，３２Ｂ回りに円滑に回転させることができる。また、これら転動体３３Ａ，３３Ｂ，３３Ｂの軸受部の軸方向両側面に近接配置され、漏出する潤滑剤を吸着する吸着体３６，３６を設けた構成としている。従って、これら転動体３３Ａ，３３Ｂ，３３Ｂに比較的に高荷重が掛けられた場合にも、軸受部に封入された潤滑剤が垂れ落ちるようなことを抑制することができる。これにより、下側レール部４５の溝底４７への潤滑剤の付着やこれによる溝底４７への埃等の付着を抑制することができる。
【００５０】
なお、下端側中央ガイド体３０の転動体３３Ａ，３３Ｂ，３３Ｂとしては、上記のような態様に限られず、その他、種々の変形が可能である。例えば、各転動体３３Ａ，３３Ｂ，３３Ｂの軸受部の軸方向両側に上記のような受部材３７，３７や吸着体３６，３６を設けていない構成としてもよい。また、転動体３３Ａ，３３Ｂ，３３Ｂを、ローラー状とした態様に代えて、ボール（球体）状とされた構成としてもよい。また、複数の転動体３３Ａ，３３Ｂ，３３Ｂの配設位置は、上記のような態様に限られず、種々の配設位置としてもよい。また、３つの転動体３３Ａ，３３Ｂ，３３Ｂを設けた態様に代えて、４つ以上の転動体３３Ａ，３３Ｂ，３３Ｂを設けた態様としてもよい。
【００５１】
また、本実施形態では、上下の回転機構部２０，２１に、回転軌跡ガイド機構を構成する上下の側部ガイド体２４，２４及び上下の湾曲ガイド溝５１，５１を設けた構成としているが、このような態様に限られない。例えば、上下の回転機構部２０，２１のうちの一方側のみに、回転軌跡ガイド機構を構成する側部ガイド体２４及び湾曲ガイド溝５１を設けた構成としてもよい。また、回転軌跡ガイド機構としては、このような態様に限られず、回転収納体１０の収納状態における間口方向一方側部位及びレール部４０，４５の後端部のそれぞれに両端部が回転自在に連結された連結アームを設けた構成としてもよい。さらには、このような回転収納体１０の回転軌跡を規制する機構を設けていない構成としてもよい。本実施形態に係る回転収納装置１の各部の具体的構成としては、上記のような構成に限られず、その他、種々の変形が可能である。
【符号の説明】
【００５２】
１              回転収納装置（収納装置）
２              箱体
１０            回転収納体（収納体）
１８            上端側軸（上下方向に沿う軸、回転中心）
１９            下端側軸（上下方向に沿う軸、回転中心）
２０            上側回転機構部（回転機構部）
２１            下側回転機構部（回転機構部）
３２Ａ，３２Ｂ  ローラー軸（軸）
３３Ａ          中央転動体
３３Ｂ          後方側転動体（一対の転動体）
３４            内輪
３５            外輪
３６            吸着体
４５            下側レール部（レール部）
４６            ガイド溝
４７            溝底
【図１】
2018015193.tif 000003
【図２】
2018015193.tif 000004
【図３】
2018015193.tif 000005
【図４】
2018015193.tif 000006
【図５】
2018015193.tif 000007
【図６】
2018015193.tif 000008